(57)【要約】【課題】本発明は、匂いを遮断し、さらには紙層への油の浸透も防止することのできる一次包装材料を安価に提供しようとするものである。【解決手段】紙基材の、一方の面に無機化合物からなるバリア層を有するバリアフィルムが貼り合わせてあることを特徴とする、一次包装材料である。またバリア層が、少なくとも無機化合物を蒸着法を用いて形成した層と無機化合物をコーティング法を用いて形成した層の両方を含むことを特徴とする、請求項１に記載の一次包装材料である。あるいは紙基材の、バリアフィルムと貼り合わせる反対の面に耐水層を設けることを特徴とする、請求項１または２に記載の一次包装材料である。（請求項１）【選択図】図１
2014055034.tif 000002
【特許請求の範囲】
【請求項１】
紙基材の、一方の面に無機化合物からなるバリア層を有するバリアフィルムが貼り合わせてあることを特徴とする、一次包装材料。
【請求項２】
バリア層が、少なくとも無機化合物を蒸着法を用いて形成した層と無機化合物をコーティング法を用いて形成した層の両方を含むことを特徴とする、請求項１に記載の一次包装材料。
【請求項３】
紙基材の、バリアフィルムと貼り合わせる反対の面に耐水層を設けたことを特徴とする、請求項１または２に記載の一次包装材料。
【請求項４】
紙基材に耐油紙を用いたことを特徴とする、請求項１から３のいずれかに記載の一次包装材料。
【発明の詳細な説明】
【技術分野】
【０００１】
本発明は包装材料に関するものであり、さらに詳しくは匂いを遮断することができ、紙への油分の浸透も防止することのできる、一次包装材料に関するものである。
【背景技術】
【０００２】
さまざまな包装材料において、その用途に応じた包装材料が用いられているが、特に食品の分野においては、内容物が直接接触する一次包装材料を選択する場合には、例えば素材の選択、水分や光からの保護、構成する材料と内容物の適合性、構成する材料の安全性などが考慮されてきた。
【０００３】
現在ではさまざまな商業施設で生鮮食品をはじめ多種多様な食品が扱われており、それに伴い一次包装材料や市販の包装形態も多種多様になってきている。
食品の流通過程においても、包装材料、包装容器に対して内容物の保護機能が求められており、密閉、気密あるいは密封といった性能が必要とされている。
【０００４】
食品については特に匂いも商品の価値として重要ではあるが、一方で匂いには人による好き嫌いもあり、また時と場所によってはその匂い自体がふさわしくないという場合もある。
逆に周囲の環境からの匂いの移行や混ざり合いということも食品の保存の場合には好ましくないことが多い。
好ましい匂いについても、時間とともにその香りが外部に漏れ出て失われてしまう場合には内容物の商品価値を損なうことになる。
【０００５】
瓶詰めや缶詰めのように完全に密封された容器を用いることができる場合には、匂いの問題も解決されるが、生鮮食料品や商業施設の中で包装される場合などのように、瓶詰めや缶詰めという形態を用いることが困難な場合も多い。
【０００６】
コストや簡便性、意匠性などを目的として、紙やフィルムを用いた一次包装材料も多種多様に用いられているが、匂いという問題を取り上げた場合には、密封性の点においていずれも不十分であった。
さらに内容物が油分を含む場合には、紙層への油の浸透およびそれによる油の匂いの漏れも問題とされていた。
【０００７】
また包装材料に消臭成分を含む層を設けるという提案もなされているが、その材料の特殊性により生産性の低下やコスト面で問題がある。
【先行技術文献】
【特許文献】
【０００８】
【特許文献１】特許第２７９００５４号公報
【特許文献２】特開２０１１−１２５６０号公報
【発明の概要】
【発明が解決しようとする課題】
【０００９】
本発明は、匂いを遮断しさらには紙層への油の浸透も防止することのできる一次包装材料を安価に提供しようとするものである。
【課題を解決するための手段】
【００１０】
上記の課題を解決するための手段として、請求項１に記載の発明は、紙基材の一方の面に無機化合物からなるバリア層を有するバリアフィルムが貼り合わせてあることを特徴とする、一次包装材料である。
【００１１】
また請求項２に記載の発明は、バリア層が、少なくとも無機化合物を蒸着法を用いて形成した層と無機化合物をコーティング法を用いて形成した層の両方を含むことを特徴とする、請求項１に記載の一次包装材料である。
【００１２】
また請求項３に記載の発明は、紙基材の、バリアフィルムと貼り合わせる反対の面に耐水層を設けたことを特徴とする、請求項１または２に記載の一次包装材料である。
【００１３】
また請求項４に記載の発明は、紙基材に耐油紙を用いたことを特徴とする、請求項１から３のいずれかに記載の一次包装材料である。
【発明の効果】
【００１４】
本発明によって、匂いを遮断しさらには紙層への油の浸透も防止することのできる一次包装材料を安価に提供することが可能になる。
【図面の簡単な説明】
【００１５】
【図１】本発明による、一次包装材料の一実施態様の断面模式図である。
【図２】本発明の実施例１および２を示す断面模式図である。
【図３】本発明の比較例１〜３を示す断面模式図である。
【図４】本発明の実施例および比較例に関する評価方法のうち臭気官能評価の方法を示す鳥瞰模式図である。
【発明を実施するための形態】
【００１６】
以下図面を参照しながら、本発明に関して詳細に説明する。
図１は本発明に係る包装紙の一実施態様を示した断面模式図である。
（紙基材）
紙基材（１）は、特別な加工は不要であり紙の種類を限定するものではないが、紙の種類によって機能は異なる。
例えば耐水紙を用いれば紙層の吸水を抑制できる。
耐水紙を用いずに、紙基材のバリアフィルムとは反対の面に耐水層（７）を設けても紙層の吸水を抑制することができる。
【００１７】
また紙基材に耐油紙を用いれば紙層の吸油を抑制でき、油分の匂いの発生や発散をより少なくすることができる。
紙の表面には、包装紙としての必要に応じてロゴマークや美粧性のための印刷を施しても良い。
【００１８】
（バリアフィルム）
バリアフィルム（５）は高分子フィルム（２）およびバリア層からなり、バリア層は蒸着法による無機化合物層（３）、コーティング法による無機化合物層（４）からなる。
高分子フィルム（２）は高分子樹脂組成物からなるフィルムであって、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
特にポリプロピレン、ポリエチレンテレフタレートを基材フィルムとする場合は、フィルム強度と価格においてより好ましい。
【００１９】
蒸着法による無機化合物層（３）を形成する方法としては，ＳｉＯやＡｌＯなどの無機化合物を蒸着法を用いて基材フィルム上に蒸着法による無機化合物層（３）を形成することができる。
また水溶性高分子と、（Ａ）一種以上のアルコキシドまたはその加水分解物、または両者、あるいは（Ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層（４）を蒸着法による無機化合物層（３）に重ねて形成しバリア層とすることができる。
【００２０】
これら２層の複合により、蒸着法による無機化合物層（３）とコーティング法による無機化合物層（４）との界面に両層の反応層を生じるか、或いはコーティング法による無機化合物層（４）が蒸着法による無機化合物層（３）に生じるピンホール、クラック、粒界などの欠陥あるいは微細孔を充填、補強することで、緻密構造が形成されるため、高いガスバリア性、耐湿性、耐水性を実現するとともに、変形に耐えられる可撓性を有するため、一次包装材料としての適性も具備することができる。
【００２１】
したがってこの複合されたバリア層を有するバリアフィルム（５）を用いることによって、匂いの遮断が可能になる。
またバリアフィルム（５）は高分子フィルムを用いているため、バリアフィルム側から紙への油の浸透も遮断することができる。
【００２２】
（接着層）
接着層（６）はバリアフィルム（５）と紙基材（１）との貼り合わせに用いるが、残留臭気や食品への安全性、またバリアフィルム（５）と紙基材（１）との接着性を考慮すれば特に材料の種類を限定するものではない。
貼り合わせには接着剤を用いたドライラミネート法やエクストルーダーによる樹脂の押し出し法などを用いることができる。
【００２３】
バリアフィルム（５）と紙基材（１）の貼り合わせにおいては、バリア層側の面と紙基材（１）を貼り合わせることが、バリア層を衝撃や摩擦あるいは折り曲げのストレスから保護することができるため望ましい。
バリアフィルム（５）と紙基材（１）を貼り合わせることにより、本発明による一次包装材料（２１）を得ることができる。
【００２４】
この一次包装材料を用いることで、匂いを遮断し密封性を備えた一次包装材料とすることが可能になり、さらに二次包装材料として容器などへの加工をすることも可能である。
【実施例】
【００２５】
図２は実施例１〜２の、断面模式図である。
【実施例１】
【００２６】
図２（ａ）は実施例１の断面模式図である。
高分子フィルム（２）に蒸着法による無機化合物層（３）およびコーティング法による無機化合物層（４）を設けたのち、接着層（６）を介して紙基材（１）と貼り合せたものである。
これらの貼り合わせは、バリアフィルム（５）のバリア層側と、紙基材（１）を貼り合せた。
【実施例２】
【００２７】
図２（ｂ）は実施例２の断面模式図である。
高分子フィルム（２）に蒸着法による無機化合物層（３）およびコーティング法による無機化合物層（４）を設けたのち、接着層（６）を介して耐水層（７）を設けた紙基材（１）と貼り合せたものである。
これらの貼り合わせは、バリアフィルム（５）のバリア層側と、紙基材（１）の耐水層（７）とは反対側とを貼り合せた。
【００２８】
図３は比較例１〜３の、断面模式図である。
【００２９】
＜比較例１＞
図３（ｃ）は比較例１の断面模式図である。
紙基材（１）のみでサンプルとした。
【００３０】
＜比較例２＞
図３（ｄ）は比較例２の断面模式図である。
高分子フィルム（２）単層のみで、ポリエチレンテレフタレートフィルムを用いてサンプルとした。
【００３１】
＜比較例３＞
図３（ｅ）は比較例３の断面模式図である。
紙基材（１）に耐油層（８）を設けてサンプルとした。
【００３２】
評価項目（１）
（臭気官能評価）
図４は臭気官能評価の方法を示す鳥瞰模式図である
プラボトル（１０）に内容物（１１）を入れ、プラボトルの口部を実施例１〜２、比較例１〜３の包装材料サンプル（１２）で覆い、さらに蓋（９）で締めた。
このとき蓋（９）は天面が開いており、包装材料サンプル（１２）が露出している状態である。
臭気の官能評価はパネラー３名によって実施した。
臭気を感じた場合には×と表記、まったく感じない場合には○と表記した。
臭気官能評価の結果を表１に示す。
【００３３】
評価項目（２）
（耐油性評価）
方法はＴＡＰＰＩ法を用いた。
表３に示す評価液を５０μｌ滴下して１５秒後に紙表面に残存する過剰分をふき取り、評価液の染み込み具合を評価した。
耐油性評価結果を表２に示す。
染み込みが確認されていなければ、評価液の番号を上げ同様の評価を行う。
【００３４】
評価液について
（耐油性評価に用いた評価液の混合量）
表３は評価液の組成の一覧表である。
【００３５】
評価結果
【００３６】
【表１】
2014055034.tif 000003
【００３７】
【表２】
2014055034.tif 000004
【００３８】
【表３】
2014055034.tif 000005
表１および表２の結果から明らかなように、実施例１および実施例２は、臭気官能評価、耐油性評価両方において優れていることが検証された。
特に臭気官能評価においては、実施例１および２では内容物の匂いを遮断する効果が顕著に見られ、比較例１〜３に比べて明確な差が出た。
このことから本発明によれば、匂いを遮断しさらには紙層への油の浸透も防止することのできる一次包装材料を安価に得ることが可能になる。
【符号の説明】
【００３９】
１・・・紙基材
２・・・高分子フィルム
３・・・蒸着法による無機化合物層
４・・・コーティング法による無機化合物層
５・・・バリアフィルム
６・・・接着層
７・・・耐水層
８・・・耐油層
９・・・蓋
１０・・・プラボトル
１１・・・内容物
１２・・・包装材料サンプル
２１・・・一次包装材料
【図１】
2014055034.tif 000006
【図２】
2014055034.tif 000007
【図３】
2014055034.tif 000008
【図４】
2014055034.tif 000009